(57)【要約】【課題】  結婚式場等のメッセージ作成会場で作成されたメッセージを人工衛星に転送し、該人工衛星から印刷カードとして人工衛星外へ放出もしくは展示し、放出もしくは展示されたメッセージを該メッセージ作成会場で表示するシステムを提供すること。【解決手段】  メッセージ作成者が作成するメッセージを送受信する作成側送受信端末は、メッセージを人工衛星へ送信する作成側送信手段と、人工衛星から送信される画像情報を受信する作成側受信手段と、人工衛星が撮影する画像情報を表示する作成側出力手段を有し、人工衛星は、送信されるメッセージを受信する衛星受信手段と、受信したメッセージを印刷して印刷カードを作成する衛星出力手段と、印刷された印刷カードを人工衛星外に放出もしくは展示する手段と、放出もしくは展示された印刷カードを撮影して画像情報を作成する撮影手段と、画像情報を送信する衛星送信手段を有するシステムとする。【選択図】  図５
2006209740.tif 000002
【特許請求の範囲】
【請求項１】
メッセージ作成者が作成するメッセージを送受信する作成側送受信端末と、前記メッセージを受信する受信手段とともに前記メッセージを撮影する撮影手段を有する大気圏外を飛行する人工衛星からなる人工衛星を利用するメッセージ表示・印刷カード放出及び保管システムであって、
前記作成側送受信端末は、
前記メッセージを前記人工衛星へ送信する作成側送信手段と、
前記人工衛星から送信される画像情報を受信する作成側受信手段と
前記人工衛星が撮影する画像情報を表示する作成側出力手段を有し、
前記人工衛星は、
前記作成側送信手段から送信されるメッセージを受信する衛星受信手段と、
前記衛星受信手段に於いて受信したメッセージを印刷して印刷カードを作成する衛星出力手段と、
前記衛星出力手段に於いて印刷された印刷カードを、該人工衛星から大気圏外へ放出する放出手段と、
前記放出手段に於いて放出される前記印刷カードを撮影して画像情報を作成する１又は複数の撮影手段と、
前記撮影手段に於いて撮影された画像情報を送信する衛星送信手段と
を有することを特徴とする人工衛星を利用するメッセージ表示・印刷カード放出及び保管システム。
【請求項２】
前記人工衛星が、前記衛星出力手段に於いて印刷された印刷カードを該人工衛星内に保管する保管手段と、該保管手段に保管された印刷カードを該人工衛星外に展示する展示手段を有し、
前記作成側送信手段が、前記人工衛星の展示手段に対して前記印刷カードの展示を命令する情報を送信し、
前記撮影手段が、前記展示手段により展示された前記印刷カードを撮影して画像情報を作成する
ことを特徴とする請求項１記載の人工衛星を利用するメッセージ表示・印刷カード放出及び保管システム。
【請求項３】
前記人工衛星が、主機能部、撮像部と、該主機能部及び該撮像部を連結する連結部からなり、
前記撮像部が、前記撮影手段を有することを特徴とする請求項１記載の人工衛星を利用するメッセージ表示・印刷カード放出及び保管システム。
【請求項４】
前記人工衛星が、親衛星、子衛星と、該親衛星及び該子衛星を連結する連結部からなり、
前記子衛星が、前記撮影手段を有することを特徴とする請求項１記載の人工衛星を利用するメッセージ表示・印刷カード放出及び保管システム。
【請求項５】
前記撮影手段が作成する画像情報は、地球の画像情報を含んでいることを特徴とする請求項１乃至４いずれかに記載の人工衛星を利用するメッセージ表示・印刷カード放出及び保管システム。
【請求項６】
前記印刷カードが、前記放出手段に於いて大気圏外に放出されて所定時間経過後消滅することを特徴とする請求項１記載の人工衛星を利用するメッセージ表示・印刷カード放出及び保管システム。
【請求項７】
大気圏外を飛行する人工衛星を利用して、メッセージ作成者のメッセージを表示し、このメッセージが印刷された印刷カードを大気圏外へ放出するメッセージ表示・印刷カード放出システム活用方法であって、
メッセージ作成側端末が、前記人工衛星にメッセージを送信し、
前記人工衛星が、受信したメッセージが記載される印刷カードを出力し、
前記人工衛星が、前記印刷カードを大気圏外へ放出するとともに、この放出する様子を撮影して画像情報を作成し、
前記人工衛星が、前記撮影した様子の画像情報を前記メッセージ作成側端末に送信し、
前記メッセージ作成側端末が、前記画像情報を表示することを特徴とする人工衛星を利用するメッセージ表示・印刷カード放出システム活用方法。
【請求項８】
前記メッセージ作成側端末が大型スクリーンからなり、イベントアトラクションとして前記画像情報を表示することを特徴とする請求項７記載の人工衛星を利用するメッセージ表示・印刷カード放出システム活用方法。
【請求項９】
前記人工衛星が、主機能部、撮像部と、該主機能部及び該撮像部を連結する連結部からなり、
前記撮像部が、前記主機能部から放出される印刷カードを撮影することを特徴とする請求項７記載の人工衛星を利用するメッセージ表示・印刷カード放出システム活用方法。
【請求項１０】
前記人工衛星が、親衛星、子衛星と、該親衛星及び該子衛星を連結する連結部からなり、
前記子衛星が、前記親衛星から放出される印刷カードを撮影することを特徴とする請求項７記載の人工衛星を利用するメッセージ表示・印刷カード放出システム活用方法。
【請求項１１】
前記撮像部又は子衛星が、印刷カードと、該撮像部又は該子衛星の周辺の背景及び／又は地球を撮影するために、複数の撮影手段を有していることを特徴とする請求項９又は１０に記載の人工衛星を利用するメッセージ表示・印刷カード放出システム活用方法。
【請求項１２】
前記印刷カードが、大気圏外へ放出されて所定時間経過後に消滅することを特徴とする請求項７乃至１１いずれかに記載の人工衛星を利用するメッセージ表示・印刷カード放出システム活用方法。
【発明の詳細な説明】
【技術分野】
【０００１】
本発明は、人工衛星を利用するメッセージ表示・印刷カード放出及び保管システムとその利用方法に関し、より詳しくは、結婚式場等のメッセージ作成会場で作成されたメッセージを人工衛星に転送し、該人工衛星から印刷カードとして大気圏外へ放出しもしくは人工衛星内に保管した後に衛星近傍に展示し、このメッセージが放出又は展示されている様子を、該メッセージ作成会場で表示することができる人工衛星を利用するメッセージ表示・印刷カード放出及び保管システムとその利用方法に関する。
【背景技術】
【０００２】
冠婚葬祭に於ける署名や誓い等のメッセージを会場内で表示し、来場者に公開するイベントがある。このようなイベントを行うことにより、来場者に対して付加的な楽しみを提供することができるとともに、会場内にいる参加者の興味を表示されたメッセージに引き付けて一致団結を図ることができる。
この種のイベントは、従来、会場内に設けられた大型テレビ等の大型出力手段に於いて、予め用意されたメッセージが表示されて、会場内の来場者に公開されていた。
しかしながら、このような会場内でメッセージを公開する方法は、予めメッセージ作成者が作成したメッセージを単に大型出力手段にて表示するに過ぎないため、来場者の興味を大きく引き付けることができるものではなかった。
【０００３】
一方、特許文献１や特許文献２には、インターネット等を介して、各端末（受け取り側端末）へメッセージを送信して、メッセージを表示する発明が開示されている。これらの発明は、メッセージ作成者のメッセージを配信するに留まらず、メッセージを受け取る側も何らかの興味を引く工夫がされている。
しかしながら、特許文献１及び２に開示された発明は、メッセージ作成側の端末から複数の端末へ好適にメッセージを送信することはできても、上記するような会場内で大型の出力手段にメッセージを表示するには不適であった。
このため、会場内でメッセージを表示する場合には、何ら特別な工夫がなされることなく表示されているのが現状であり、結局のところ、来場者の興味を引き付けることができなかった。
【０００４】
また、特許文献３には、メッセージが記載された書面等を宇宙に滞在させた後に受取人に届けるシステムからなる発明が開示されている。
しかしながら、この特許文献３に開示された発明は、上記したような会場内で大型の出力手段にメッセージを表示することができるものではないため、冠婚葬祭などで利用するのに適したシステムではなかった。
【０００５】
更に、特許文献４には、月の表面に跡を付けて、これを撮影した画像をリアルタイムで送信することができるシステムが開示されている。
このシステムは、送信されてきた月表面の画像を会場内で大型の出力手段に表示させることによって、冠婚葬祭などのイベントとして利用した場合、参加者の興味を大いに引き付ける要素を有している。
しかしながら、このシステムは、月の表面に着陸して跡を付けるための装置や、当該装置を操作するための複雑な制御機構が必要となるため、人工衛星を用いた場合に比べてコストが大幅に高くなる上に、動作制御の信頼性が低くなるという問題がある。
【０００６】
また、人工衛星を使用してメッセージを表示する技術として、特許文献５には、ビデオ信号を搬送して複数の所望端末に送信する発明が開示されている。
しかしながら、この特許文献５に開示された発明は、人工衛星をビデオ信号を搬送するための媒体として利用しているに過ぎず、上記したように、会場内でメッセージを効果的に表示することができるものではなかった。
【０００７】
同様に、人工衛星を使用してメッセージを表示する技術として、特許文献６には宇宙機にて撮影された地球や月の画像を送信者のメッセージに添付して受信者に送信するシステムの発明が開示されている。
しかしながら、この特許文献６に開示された発明では、単に送信者のメッセージに地球や月の画像を添付するだけなので、リアルな感覚に乏しく、見る人に地上で画像合成しただけのような安っぽい印象を与えかねないという大きな欠点がある。
【０００８】
【特許文献１】特開２００４−２５８９１０号公報
【特許文献２】特開２００３−１５０６８８号公報
【特許文献３】特開２００３−６３６５３号公報
【特許文献４】特開２００３−６３２１号公報
【特許文献５】特表２００２−５３５９３２号公報
【特許文献６】ＷＯ０２／０４９２３９号公報
【発明の開示】
【発明が解決しようとする課題】
【０００９】
本発明は、このような実情に鑑みてなされたもので、結婚式場等のメッセージ作成会場で作成されたメッセージを人工衛星に転送し、該人工衛星から印刷カードとして大気圏外へ放出しもしくは衛星内に保管した後に衛星近傍にて展示し、この放出もしくは展示されたメッセージを該メッセージ作成会場で表示することができる人工衛星を利用するメッセージ表示・印刷カード放出及び保管システムとその利用方法（活用方法）を提供することである。
【課題を解決するための手段】
【００１０】
請求項１記載の発明は、メッセージ作成者が作成するメッセージを送受信する作成側送受信端末と、前記メッセージを受信する受信手段とともに前記メッセージを撮影する撮影手段を有する大気圏外を飛行する人工衛星からなる人工衛星を利用するメッセージ表示・印刷カード放出及び保管システムであって、前記作成側送受信端末は、前記メッセージを前記人工衛星へ送信する作成側送信手段と、前記人工衛星から送信される画像情報を受信する作成側受信手段と、前記人工衛星が撮影する画像情報を表示する作成側出力手段を有し、前記人工衛星は、前記作成側送信手段から送信されるメッセージを受信する衛星受信手段と、前記衛星受信手段に於いて受信したメッセージを印刷して印刷カードを作成する衛星出力手段と、前記衛星出力手段に於いて印刷された印刷カードを、該人工衛星から大気圏外へ放出する放出手段と、前記放出手段に於いて放出される前記印刷カードを撮影して画像情報を作成する１又は複数の撮影手段と、前記撮影手段に於いて撮影された画像情報を送信する衛星送信手段を有することを特徴とする人工衛星を利用するメッセージ表示・印刷カード放出及び保管システムを提供する。
請求項２記載の発明は、前記人工衛星が、前記衛星出力手段に於いて印刷された印刷カードを該人工衛星内に保管する保管手段と、該保管手段に保管された印刷カードを該人工衛星外に展示する展示手段を有し、前記作成側送信手段が、前記人工衛星の展示手段に対して前記印刷カードの展示を命令する情報を送信し、前記撮影手段が、前記展示手段により展示された前記印刷カードを撮影して画像情報を作成することを特徴とする請求項１記載の人工衛星を利用するメッセージ表示・印刷カード放出及び保管システムを提供する。
請求項３記載の発明は、前記人工衛星が、主機能部、撮像部と、該主機能部及び該撮像部を連結する連結部からなり、前記撮像部が、前記撮影手段を有することを特徴とする請求項１記載の人工衛星を利用するメッセージ表示・印刷カード放出及び保管システムを提供する。
請求項４に記載の発明は、前記人工衛星が、親衛星、子衛星と、該親衛星及び該子衛星を連結する連結部からなり、前記子衛星が、前記撮影手段を有することを特徴とする請求項１記載の人工衛星を利用するメッセージ表示・印刷カード放出及び保管システムを提供する。
請求項５記載の発明は、前記撮影手段が作成する画像情報は、地球の画像情報を含んでいることを特徴とする請求項１乃至４いずれかに記載の人工衛星を利用するメッセージ表示・印刷カード放出及び保管システムを提供する。
請求項６記載の発明は、前記印刷カードが、前記放出手段に於いて大気圏外に放出されて所定時間経過後消滅することを特徴とする請求項１記載の人工衛星を利用するメッセージ表示・印刷カード放出及び保管システムを提供する。
【００１１】
請求項７記載の発明は、大気圏外を飛行する人工衛星を利用して、メッセージ作成者のメッセージを表示し、このメッセージが印刷された印刷カードを大気圏外へ放出するメッセージ表示・印刷カード放出システム活用方法であって、メッセージ作成側端末が、前記人工衛星にメッセージを送信し、前記人工衛星が、受信したメッセージが記載される印刷カードを出力し、前記人工衛星が、前記印刷カードを大気圏外へ放出するとともに、この放出する様子を撮影して画像情報を作成し、前記人工衛星が、前記撮影した様子の画像情報を前記メッセージ作成側端末に送信し、前記メッセージ作成側端末が、前記画像情報を表示することを特徴とする人工衛星を利用するメッセージ表示・印刷カード放出システム活用方法を提供する。
請求項８記載の発明は、前記メッセージ作成側端末が大型スクリーンからなり、イベントアトラクションとして前記画像情報を表示することを特徴とする請求項７記載の人工衛星を利用するメッセージ表示・印刷カード放出システム活用方法を提供する。
請求項９記載の発明は、前記人工衛星が、主機能部、撮像部と、該主機能部及び該撮像部を連結する連結部からなり、前記撮像部が、前記主機能部から放出される印刷カードを撮影することを特徴とする請求項７記載の人工衛星を利用するメッセージ表示・印刷カード放出システム活用方法を提供する。
請求項１０記載の発明は、前記人工衛星が、親衛星、子衛星と、該親衛星及び該子衛星を連結する連結部からなり、前記子衛星が、前記親衛星から放出される印刷カードを撮影することを特徴とする請求項７記載の人工衛星を利用するメッセージ表示・印刷カード放出システム活用方法を提供する。
請求項１１記載の発明は、前記撮像部又は子衛星が、印刷カードと、該撮像部又は該子衛星の周辺の背景及び／又は地球を撮影するために、複数の撮影手段を有していることを特徴とする請求項９又は１０に記載の人工衛星を利用するメッセージ表示・印刷カード放出システム活用方法を提供する。
請求項１２記載の発明は、前記印刷カードが、大気圏外へ放出されて所定時間経過後に消滅することを特徴とする請求項７乃至１１いずれかに記載の人工衛星を利用するメッセージ表示・印刷カード放出システム活用方法を提供する。
これらの発明を提供することによって、上記課題を悉く解決する。
【発明の効果】
【００１２】
請求項１記載の発明によって、結婚式等でメッセージ作成者が作成するメッセージを人工衛星に送信し、この人工衛星から大気圏外へ放出する様子を撮影手段により撮影し、その様子を画像情報として人工衛星から送信することにより、メッセージ作成側で送信されてきた画像を表示することができるため、今までに無い演出効果が非常に高い方法でメッセージの表示を行うことが可能であり、来場者等のメッセージを観賞する者の興味を強く引き付けることができる。
請求項２記載の発明によれば、印刷カードを一旦衛星内に保管しておき、作成側送信手段からの命令に基づいて印刷カードを衛星外に展示し、これを撮影手段により撮影し、その画像情報を人工衛星から送信して、メッセージ作成側で表示することができるため、最も演出効果が高い時間に合わせてメッセージを表示させることが可能となる。
請求項３記載の発明は、人工衛星が主機能部と撮像部とを連結部で繋いだ機構であるので、１台の人工衛星で主機能部から印刷カードが放出される様子を撮像部から詳細に撮影することができるシステムを提供することができる。
請求項４記載の発明は、人工衛星が親衛星と子衛星とからなる２つの衛星を利用する機構であるので、親衛星から印刷カードが放出される様子を子衛星から詳細に撮影することができるシステムを提供することができる。
請求項５記載の発明によれば、撮影手段が地球に関する画像情報を作成することができるので、来場者の興味を更に強く引き付けることができるシステムを提供することができる。
請求項６記載の発明によって、印刷カードが大気圏外に放出された後、所定時間経過後消滅するので、大気圏外を汚染することなく印刷カードを大気圏外に放出することができるシステムを提供することができる。
【００１３】
請求項７記載の発明によって、メッセージ作成者が作成するメッセージを人工衛星に送信し、この人工衛星からメッセージを印刷したカードを大気圏外へ放出する様子を撮影し、その様子をメッセージ作成側で表示することができるので、今までに無いメッセージの表示を行うことができ、来場者等のメッセージを観賞する者の興味を大いに引き付けることができる。
請求項８記載の発明は、メッセージ作成側端末が大型スクリーンからなり、イベントアトラクションとして画像情報を表示することにより、冠婚葬祭等において参加者の興味を大きく引き付けることが可能なイベントアトラクションを提供することができる。
請求項９記載の発明は、人工衛星が主機能部と撮像部とを連結部で繋いだ機構であるので、１台の人工衛星で主機能部から印刷カードが放出される様子を撮像部から詳細に撮影することができる。
請求項１０記載の発明は、人工衛星が親衛星と子衛星とからなる２つの衛星を利用する機構であるので、親衛星から印刷カードが放出される様子を子衛星から詳細に撮影することができる。
請求項１１記載の発明によって、周辺の宇宙空間や地球に関する画像情報を作成することができるので、来場者の興味を更に引くことができる。
請求項１２記載の発明によって、印刷カードが大気圏外に放出された後、所定時間経過後消滅するので、大気圏外を汚染することなく印刷カードを大気圏外に放出することができる。
【発明を実施するための最良の形態】
【００１４】
以下、本発明を実施するための最良の形態について説明する。
本発明に係る人工衛星を利用するメッセージ表示・印刷カード放出及び保管システム（１）の構成を説明する。図１は本発明に係るシステムの概略構成図である。
本発明に係るシステム（１）は、地球側（地上）に備えられる作成側送受信端末（２）と、大気圏外を飛行する人工衛星（３）から構成される。
【００１５】
作成側送受信端末（２）は、地球側である地上に備えられるとともに、人工衛星（３）と文字情報（メッセージ情報）や画像情報等の各種情報の送受信が可能とされている。図２は、作成側送受信端末（２）が備えている作成側送受信手段の構成を示すブロック線図である。
この作成側送受信端末（２）は、作成側送信手段（２１）、作成側受信手段（２２）及び作成側出力手段（２３）を有している。
【００１６】
この作成側送信手段（２１）は、作成側で作成するメッセージ（メッセージ情報）等の情報を人工衛星（３）へ送信する。この作成側送信手段（２１）は、直接人工衛星（３）へメッセージ情報等の情報を送信することができることが好ましいが、人工衛星（３）と送受信可能な基地局を経由して人工衛星（３）へ送信することができるように設定されても構わない。
基地局を経由してメッセージ情報を人工衛星（３）へ送信する方法は、インターネット等の通信ネットワーク（図示せず）を利用して、作成側送受信端末（２）からこの基地局へメッセージ情報を送信するように設定することによって可能となる。
このメッセージ情報を構成する情報の種類は、作成側端末（２）の作成側送信手段（２１）から送信することができる種類の情報（データ）であれば、特に限定されることなく採用することができる。メッセージ情報の一例としては、例えば、文字情報や画像情報を挙げることができる。
【００１７】
また、作成側送信手段（２１）は、上記メッセージ情報の他に、後述する人工衛星の展示手段に対して印刷カードの展示動作の実行を命令する情報（以下、展示命令情報と略）を送信することもできる。
【００１８】
作成側受信手段（２２）は、人工衛星（３）から送信される画像情報を受信する。この画像情報は、詳細は後述するが、人工衛星（３）が有する撮影手段によって撮影された画像情報である。
尚、上述したように、基地局を経由している場合、画像情報は、人工衛星（３）から基地局を経由し、通信ネットワークを介して、作成側送受信端末（２）の作成側受信手段（２２）に受信されることになる。
【００１９】
作成側出力手段（２３）は、作成側受信手段（２２）で受信した画像情報を表示することができる。この作成側出力手段（２３）は画像表示装置であり、その性能は特に限定されないが、この作成側出力手段（２３）の設置される場所に応じてその大きさは適宜選択することができる。
この作成側出力手段（２３）（作成側送受信端末（２））が設置される会場が、大きければ大きいほど、より大型画面を有する表示装置であることが好ましい。このように大型画面を有する表示装置を利用することによって、大気圏外の画像（宇宙の画像、宇宙からの地球の画像）を、迫力を有する画像として表示することができるからである。
尚、この作成側出力手段（２３）に於いて出力される画像情報は、補助記憶装置に記憶させても良いし、お皿等の日常用品、Ｔシャツ等の衣類や、パネルやポスター等に印刷を行い、記念品として作成することもできる。
このような記念品の作成は、作成側端末（２）に、画像情報を記憶することができる記憶手段と、該記憶手段に記憶された画像を印刷出力することができる印刷装置を設けることによって達成することができる。
【００２０】
人工衛星（３）は、作成側送受信端末（２）からのメッセージ情報を受信するとともに、このメッセージ情報を印刷カードとして印刷出力し、この印刷カードを人工衛星外（大気圏外）へ放出するかもしくは一旦衛星内に保管した後に人工衛星外に展示する。
人工衛星（３）は、主機能部と撮像部とを連結部で繋いだ１台の人工衛星としてもよいし、親衛星と子衛星の２台の人工衛星を連結部で繋いだテザー衛星機構からなるものとしてもよい。以下、「主機能部又は親衛星」をまとめて主機能部（親衛星）と表し、「撮像部又は子衛星」をまとめて撮像部（子衛星）と表す。
図３は、人工衛星を示すイメージ図であり、図４は人工衛星の構成を示すブロック線図であり、（ａ）は主機能部（親衛星）、（ｂ）は撮像部（子衛星）の構成図である。
この人工衛星（３）は、主機能部（親衛星）（３１）、撮像部（子衛星）（３２）と、主機能部（親衛星）（３１）と撮像部（子衛星）（３２）を連結する連結部（３３）からなる。
この人工衛星（３）は、詳細は後述するが、人工衛星（３）から放出されるもしくは人工衛星（３）外に展示されるメッセージ情報が印刷された印刷カード（Ｐ）を確実に撮影することができるように、主機能部（親衛星）（３１）から放出もしくは展示される印刷カードを撮像部（子衛星）（３２）が撮影するように構成されている。
このため、主機能部（親衛星）（３１）と撮像部（子衛星）（３２）は、連結部（３３）を介して所定距離（ｄ）離れて連結されていることになるが、この所定距離（ｄ）は、主機能部（親衛星）（３１）と撮像部（子衛星）（３２）の重力勾配が効く距離であることが好ましい。
この重力勾配が効く距離は、人工衛星（３）が親衛星（３１）と子衛星（３２）と連結部（３３）からなる場合にはこれらがテザー衛星機構となるように構成し、人工衛星（３）が主機能部（３１）と撮像部（３２）と連結部（３３）からなる場合には主機能部（３１）から長い柱を連結部（３３）として出して撮像部（３２）を繋ぐように構成することにより実現することができる。
このような構成とすることにより、主機能部（親衛星）（３１）と撮像部（子衛星）（３２）が、重力勾配が効く距離（ｄ）を有して構成されるので、確実に印刷カード（Ｐ）の放出もしくは展示を撮影することができるとともに、人工衛星（３）の姿勢制御を容易に行うことができるようになる。
【００２１】
本発明に係る人工衛星（３）の大きさは特に限定されないが、例えば、連結部（３３）の長さ（所定距離（ｄ））は０．２〜１０ｍ、好ましくは約１０ｍに設定される。
また、人工衛星（３）は、３５０〜１０００ｋｍの高度を有する円軌道で大気圏外を飛行している。
【００２２】
主機能部（親衛星）（３１）は、衛星受信手段（３１１）、衛星出力手段（３１２）、衛星放出手段（３１３）、衛星保管手段（３１４）、衛星展示手段（３１５）を有している
この衛星受信手段（３１１）は、作成側送受信端末（２）の作成側送信手段（２１）から送信されるメッセージ情報及び展示命令情報を受信する。
衛星受信手段（３１１）がメッセージ情報及び展示命令情報を受信すると、後述する衛星出力手段（３１２）へこれらの情報を送る。
【００２３】
衛星出力手段（３１２）は、衛星受信手段（３１１）で受信したメッセージ情報を、印刷カード（Ｐ）に印刷出力する。
この衛星出力手段（３１２）は、通常の印刷を行うことができる印刷出力装置であれば特に限定されず、印刷カード（Ｐ）の大きさ等によって適宜設定される。
この印刷カード（Ｐ）は、大気圏外に放出されて所定時間経過後に消滅する素材で形成されることが好ましい。
このように、印刷カード（Ｐ）が大気圏外に放出されて所定時間後消滅する素材で形成されることによって、後述する衛星放出手段（３１３）から大気圏外へ放出され所定時間経過した後消滅するので、大気圏外の宇宙空間を汚染することがない。
放出された印刷カード（Ｐ）を消滅させるための構成としては、例えば、印刷カード（Ｐ）を構成する素材を、温度が上昇すると昇華する素材により形成する構成や、太陽の紫外線に曝されることにより分解する素材により形成する構成、或いは衛星の高度の選択により表面積が相対的に大きく重量の軽いカードは、衛星よりはるかに早く高度を下げて、大気圏に入って大気との摩擦熱により消滅する構成、などを例示することができる。
印刷カード（Ｐ）の大きさや形状は、特に限定されず、使用者によって適宜設定される。
【００２４】
衛星放出手段（３１３）は、衛星出力手段（３１２）に於いて出力印刷された印刷カード（Ｐ）を、主機能部（親衛星）（３１）から大気圏外の宇宙空間へ放出する。
この衛星放出手段（３１３）の機構は、衛星出力手段（３１２）で印刷された印刷カード（Ｐ）を主機能部（親衛星）（３１）から大気圏外へ放出することができる機構であれば特に限定されず、印刷された印刷カード（Ｐ）をコンベア式に搬送して放出する機構等を採用することができる。
【００２５】
衛星保管手段（３１４）は、衛星出力手段（３１２）に於いて出力印刷された印刷カード（Ｐ）を衛星内に保管する手段である。
この衛星保管手段（３１４）は、印刷カード（Ｐ）を衛星内で安定した状態で（振動等により移動しない状態で）保管しておくことができる機構であればよく、印刷カード（Ｐ）を収容することができるケースやトレイ等から構成することができる。
【００２６】
衛星展示手段（３１５）は、衛星保管手段（３１４）において保管されている印刷カード（Ｐ）を、作成側送信手段（２１）から送信される展示命令情報に応じて人工衛星近傍の宇宙空間に展示する手段である。
この衛星展示手段（３１５）は、衛星保管手段（３１４）に保管されている印刷カードを取り出して衛星外の宇宙空間に展示し、その後で衛星内に回収することができる機構であれば特に限定されず、例えばロボットアーム等から構成することができる。
【００２７】
撮像部（子衛星）（３２）は、撮影手段（３２１）と衛星送信手段（３２２）を有している。
この撮像部（子衛星）（３２）が有する撮影手段（３２１）は、少なくとも主機能部（親衛星）（３１）から放出されるもしくは展示される印刷カード（Ｐ）を撮影する第１撮影手段（３２１ａ）と、この撮像部（子衛星）（３２）周辺の背景や地球の様子を撮影する第２撮影手段（３２１ｂ）を有している。
【００２８】
第１撮影手段（３２１ａ）は、撮像部（子衛星）（３２）に備え付けられるとともに、主機能部（親衛星）（３１）が印刷カード（Ｐ）を放出する様子もしくは展示する様子を撮影する。
図５及び図６は、第１撮影手段が撮影する画像の一例を示しており、図５（ａ）は主機能部（親衛星）から印刷カードが放出される様子を示し、（ｂ）は大気圏外を印刷カードが遊泳している様子を示す。図６は主機能部（親衛星）から印刷カードを宇宙空間に展示している様子を示す。尚、これらの図では、メッセージ情報が「希望」というメッセージ情報である場合を示している。
この第１撮影手段（３２１ａ）が印刷カード（Ｐ）を放出する様子もしくは展示する様子を撮影する期間は、特に限定されず、使用者によって適宜設定すればよい。印刷カードを放出する場合は、主機能部（親衛星）（３１）から放出されてから印刷カード（Ｐ）が消滅する間であれば適宜設定することができる。
尚、この第１撮影手段（３２１ａ）は、印刷カード（Ｐ）が放出される場合は、カードの宇宙遊泳に伴って、その撮影方向を手動又は自動で適宜変更することができるように設定されていることが好ましい。
【００２９】
第２撮影手段（３２１ｂ）は、撮像部（子衛星）（３２）の周辺の宇宙の様子や撮像部（子衛星）（３２）から真下の地球の様子を撮影することができる。
この第２撮影手段（３２１ｂ）が地球の様子を撮影する場合には、地球の表面の様子を詳細に撮影するために、望遠レンズを有していることが好ましい。また、地球上の天候が悪くとも、ある程度なら地球表面の撮影ができるように撮影波長等の設定をしておくことが更に好ましい。
尚、上記する第１撮影手段（３２１ａ）及び第２撮影手段（３２１ｂ）は、複数設けられ、多方向から撮影できるように設けられることが好ましく、また、第２撮影手段（３２１ｂ）は主機能部（親衛星）（３１）に設けられても構わない。
なお、このように２つの撮影手段を用いる方法の他、１つの撮像手段でカード放出と地球画像を同時に撮像する構成も本発明に含まれる。
【００３０】
衛星送信手段（３２２）は、第１及び第２撮影手段（３２１）に於いて撮影された画像情報を地上（地球）に向けて交互にまたは重畳して送信する。
この衛星送信手段（３２２）は、画像情報を直接あるいは主機能部（親衛星）（３１）を経由して作成側送受信端末（２）へ送信する。送信された画像情報は、作成側送受信端末（２）の作成側受信手段（２２）により受信されることになる。
尚、主機能部（親衛星）（３１）及び撮像部（子衛星）（３２）は、夫々情報（データ）を格納するための記憶手段（図示せず）を備えている。
以上が本発明に係るメッセージ表示・印刷カード放出及び保管システム（１）の構成の説明である。
【００３１】
本発明に係る人工衛星を利用する表示システム（１）の動作の一例を図７に基づいて説明する。
まず、本発明に係るシステムの使用者は、結婚式場等の大会場に作成側送受信端末（２）を設ける。このとき、作成側送受信端末（２）には、大会場に設置されるような作成側出力手段（２３）として大型画面を有する出力装置（大型スクリーン等）が設置される。
尚、使用者は、予め人工衛星（３）とこの作成側送受信端末（２）で情報（データ）の送受信が行えるように設定しておく。
また、本発明に係るシステムを利用する場合には、印刷カード（Ｐ）が放出される時刻に、頭上を人工衛星（２）が通過するように設定しておくことが好ましい。
【００３２】
使用者は、自らが所望する印刷カード（Ｐ）に印刷されるメッセージを決定する（Ｓ１）。
使用者は、このメッセージ（電子情報）を、作成側送信手段（２１）を用いて人工衛星（３）へ送信する（Ｓ２）。
このとき、作成側送受信端末（２）は、通信ネットワークや中継基地局等を介して、メッセージを人工衛星（３）へ送信する。
【００３３】
人工衛星（３）は、衛星受信手段（３１１）に於いて作成側送信手段（２１）から送信されてきたメッセージを受信し（Ｓ３）、衛星出力手段（３１２）へ転送する。
衛星出力手段（３１２）は、メッセージを受信すると、このメッセージを印刷カード（Ｐ）に印刷する（Ｓ４）。
【００３４】
衛星出力手段（３１２）に於いて印刷カード（Ｐ）にメッセージが印刷されると、衛星放出手段（３１３）によりこの印刷カード（Ｐ）が人工衛星（３）の主機能部（親衛星）（３１）から大気圏外へと放出される（Ｓ５）。
このとき、人工衛星（３）の撮像部（子衛星）（３２）の第１撮影手段（３２１ａ）に於いて、印刷カード（Ｐ）が主機能部（親衛星）（３１）から放出される様子が撮影される（Ｓ６）。
尚、印刷カード（Ｐ）は、所定時間後消滅する。
【００３５】
第１撮影手段（３２１ａ）が、印刷カード（Ｐ）が主機能部（親衛星）（３１）から放出される様子を画像情報として作成すると、衛星送信手段（３２２）はこの画像情報を地球側にある作成側送受信端末（２）へ送信する（Ｓ７）。
尚、この第１撮影手段（３２１ａ）が印刷カード（Ｐ）を撮影する場合には、印刷カード（Ｐ）が大気圏外に於いて消滅するまで撮影するように設定することもできるし、所定時間経過後に撮影を中止するように設定することもできる。また、第１撮影手段（３２１ａ）が遊泳する印刷カード（Ｐ）を追従して撮影するように設定することもできる。
【００３６】
人工衛星（３）の第１撮影手段（３２１ａ）が作成した画像情報は、衛星送信手段（３２２）に於いて送信され、中継基地局を介して、作成側送受信端末（２）の作成側受信手段（２２）により受信される（Ｓ８）。
作成側受信手段（２２）が画像情報を受信すると、作成側出力手段（２３）に於いて画像情報が表示される（Ｓ９）。
このようにして、会場内の参加者全員が、この作成側出力手段（２３）で表示される印刷カード（Ｐ）の放出をイベントアトラクションとして観賞することができ、更には、参加者全員が大気圏外に遊泳する印刷カード（Ｐ）を観賞することができる。
図８は、本発明に係るシステム（１）を結婚式場等で使用した場合を示す図であり、会場内の大型表示装置である作成側出力手段（２３）に於いて、印刷カード（Ｐ）が大気圏外を遊泳する様子が表示されている。
なお、結婚式場などで使用する場合、カードの状態を一時的に大きく拡大して表示することもできる。
【００３７】
次に、本発明に係る人工衛星を利用する表示システム（１）の動作の他の例を図９に基づいて説明する。
まず、本発明に係るシステムの使用者は、結婚式場等の大会場に作成側送受信端末（２）を設ける。このとき、作成側送受信端末（２）には、大会場に設置されるような作成側出力手段（２３）として大型画面を有する出力装置（大型スクリーン等）が設置される。
尚、使用者は、予め人工衛星（３）とこの作成側送受信端末（２）で情報（データ）の送受信が行えるように設定しておく。
また、本発明に係るシステムを利用する場合には、印刷カード（Ｐ）が展示される時刻に、頭上を人工衛星（２）が通過するように設定しておくことが好ましい。
【００３８】
使用者は、自らが所望する印刷カード（Ｐ）に印刷されるメッセージを決定する（Ｓ１）。
使用者は、このメッセージ（電子情報）を、作成側送信手段（２１）を用いて人工衛星（３）へ送信する（Ｓ２）。
このとき、作成側送受信端末（２）は、通信ネットワークや中継基地局等を介して、メッセージを人工衛星（３）へ送信する。
【００３９】
人工衛星（３）は、衛星受信手段（３１１）に於いて作成側送信手段（２１）から送信されてきたメッセージを受信し（Ｓ３）、衛星出力手段（３１２）へ転送する。
衛星出力手段（３１２）は、メッセージを受信すると、このメッセージを印刷カード（Ｐ）に印刷する（Ｓ４）。
【００４０】
衛星出力手段（３１２）に於いて印刷カード（Ｐ）にメッセージが印刷されると、衛星保管手段（３１４）によりこの印刷カード（Ｐ）が人工衛星（３）の主機能部（親衛星）（３１）内部に一旦保管される（Ｓ５）。
使用者は、この衛星内に保管された印刷カード（Ｐ）を衛星外部に展示するための展示命令情報を、作成側送信手段（２１）を用いて人工衛星（３）へ送信する（Ｓ６）。
人工衛星（３）は、衛星受信手段（３１１）に於いて作成側送信手段（２１）から送信されてきた展示命令情報を受信し（Ｓ７）、衛星展示手段（３１５）へと転送する。
衛星展示手段（３１５）は、作成側送信手段（２１）から送信される展示命令情報に応じて、保管されている印刷カード（Ｐ）を人工衛星外の宇宙空間に展示する（Ｓ８）。
このとき、人工衛星（３）の撮像部（子衛星）（３２）の第１撮影手段（３２１ａ）に於いて、印刷カード（Ｐ）が主機能部（親衛星）（３１）の外部に展示される様子が撮影される（Ｓ９）。
尚、印刷カード（Ｐ）は、所定時間後、衛星内に回収される。
【００４１】
第１撮影手段（３２１ａ）が、印刷カード（Ｐ）が主機能部（親衛星）（３１）の外部に展示される様子を画像情報として作成すると、衛星送信手段（３２２）はこの画像情報を地球側にある作成側送受信端末（２）へ送信する（Ｓ７）。
【００４２】
人工衛星（３）の第１撮影手段（３２１ａ）が作成した画像情報は、衛星送信手段（３２２）に於いて送信され（Ｓ１０）、中継基地局を介して、作成側送受信端末（２）の作成側受信手段（２２）により受信される（Ｓ１１）。
作成側受信手段（２２）が画像情報を受信すると、作成側出力手段（２３）に於いて画像情報が表示される（Ｓ１２）。
このようにして、会場内の参加者全員が、この作成側出力手段（２３）で表示される印刷カード（Ｐ）の宇宙空間への展示をイベントアトラクションとして観賞することができる。
【００４３】
本発明において、撮像部（子衛星）（３２）は、第２撮影手段（３２１ｂ）を有しており、この第２撮影手段（３２１ｂ）が地球の様子を撮影することができる。この第２撮影手段（３２１ｂ）は、第１撮影手段（３２１ａ）と同様に、作成側出力手段（２３）に於いて表示することができる画像情報を作成することができる。
特に、この人工衛星（３）が印刷カード（Ｐ）を大気圏外に放出するもしくは展示する時刻に、使用者の頭上を人工衛星（３）が通過するように設定しておくと、この第２撮影手段（３２１ｂ）が行う地球表面の撮影は、使用者（会場内の参加者）の頭上からの撮影となり、極めて興味深い画像情報を作成することができる。
【００４４】
会場内の大型表示装置により表示された画像情報は、お皿等の物品に印刷されて、記念品として参加者に配布される。このように記念品として配布されることによって、参加者により一層の記念として記憶されることができる。
【産業上の利用可能性】
【００４５】
本発明は、結婚式等の会場において参加者の興味を引き付けるためのイベントアトラクションとして好適に利用可能である。
【図面の簡単な説明】
【００４６】
【図１】本発明に係るシステムの概略構成図である。
【図２】作成側送受信手段の構成を示すブロック線図である。
【図３】人工衛星を示すイメージ図である。
【図４】人工衛星の構成を示すブロック線図であり、（ａ）は主機能部（親衛星）、（ｂ）は撮像部（子衛星）の構成図である。
【図５】第１撮影手段が撮影する画像の一例を示しており、（ａ）は主機能部（親衛星）から印刷カードが放出される様子を示し、（ｂ）は大気圏外を印刷カードが遊泳している様子を示す。
【図６】第１撮影手段が撮影する画像の他の例を示しており、主機能部（親衛星）により印刷カードが宇宙空間に展示されている様子を示す。
【図７】本発明に係るシステムの動作の一例を示すフローチャートである。
【図８】本発明を結婚式等の会場でイベントアトラクションとして実施している様子を示す。
【図９】本発明に係るシステムの動作の他の例を示すフローチャートである。
【符号の説明】
【００４７】
１・・・・人工衛星を利用する表示・印刷カード放出及び保管システム
２・・・・作成側送受信端末
２１・・・作成側送信手段
２２・・・作成側受信手段
２３・・・作成側出力手段
３・・・・人工衛星
３１・・・主機能部（親衛星）
３１１・・衛星受信手段
３１２・・衛星出力手段
３１３・・衛星放出手段
３１４・・衛星保管手段
３１５・・衛星展示手段
３２・・・撮像部（子衛星）
３２１・・撮影手段
３２２・・衛星送信手段
Ｐ・・・・印刷カード
【図１】
2006209740.tif 000003
【図２】
2006209740.tif 000004
【図３】
2006209740.tif 000005
【図４】
2006209740.tif 000006
【図５】
2006209740.tif 000007
【図６】
2006209740.tif 000008
【図７】
2006209740.tif 000009
【図８】
2006209740.tif 000010
【図９】
2006209740.tif 000011